(57)【要約】【課題】コスト上昇を抑えつつ、特に通風口からの音洩れを抑制して静音性を高めた、画像形成装置を提供する。【解決手段】装置本体の外観を形成する外装カバーと、外装カバー内に設けられた動作時に騒音を伴う動作部品を備えた電子機器に設けられる吸音ユニットである。吸音ユニットには、外装カバーの内外を連通させる通風口が設けられている。通風口の内側には吸音部１３が形成されている。吸音部１３は、通風口の面方向における第１の方向に延在するとともに、外装カバーの外側から内側に向かうに従って漸次薄くなる楔形状の第１の凸板１４を複数有し、第１の凸板１４を、第１の方向と略直交する第２の方向に所定の間隔を開けて整列配置している。【選択図】図４
2014071262.tif 000002
【特許請求の範囲】
【請求項１】
装置本体の外観を形成する外装カバーと、該外装カバー内に設けられた動作時に騒音を伴う動作部品を備えた電子機器に設けられる吸音ユニットであって、
前記吸音ユニットは前記外装カバーの内面側に設けられ、該外装カバーの内外を連通させる通風口が設けられ、
前記通風口の内側には吸音部が形成され、
前記吸音部は、前記通風口の面方向における第１の方向に延在するとともに、前記外装カバーの外側から内側に向かうに従って漸次薄くなる楔形状の第１の凸板を複数有し、該第１の凸板を、前記第１の方向と略直交する第２の方向に所定の間隔を開けて整列配置していることを特徴とする吸音ユニット。
【請求項２】
前記吸音部は、前記第１の凸板に加えて、前記第２の方向に延在するとともに、前記外装カバーの外側から内側に向かうに従って漸次薄くなる楔形状の第２の凸板を複数有し、該第２の凸板を、前記第１の方向に所定の間隔を開けて整列配置していることを特徴とする請求項１記載の吸音ユニット。
【請求項３】
前記第１の凸板と前記第２の凸板とが交差する箇所には、前記通風口の内側に開口するとともに、前記外装カバーの外側から内側に向かうに従って漸次開口面積が広くなる凹部が形成されていることを特徴とする請求項２記載の吸音ユニット。
【請求項４】
前記凹部内には、前記外装カバーの外側から内側に向かうに従って漸次外形が小さくなる四角錐形状または四角錐台形状の凸部が設けられていることを特徴とする請求項３記載の吸音ユニット。
【請求項５】
前記外装カバーに対して着脱可能に構成されていることを特徴とする請求項１〜４のいずれか一項に記載の吸音ユニット。
【請求項６】
装置本体の外観を形成する外装カバー内に画像形成部及び定着部を備え、
前記外装カバーに請求項１〜５のいずれか一項に記載の吸音ユニットが設けられていることを特徴とする画像形成装置。
【発明の詳細な説明】
【技術分野】
【０００１】
本発明は、通風口を構成する吸音ユニットおよび該吸音ユニットを備えた画像形成装置に関する。
【背景技術】
【０００２】
複写機等の画像形成装置は、筐体となる外装カバー内に設けられたレーザスキャナ、モータ、ソレノイド、クラッチ、冷却ファン等の各種の部品が、画像形成時に動作するよう構成されている。これらの部品は、その動作時に少なからず騒音を発生する。また、これらの部品はその物が発生する騒音のみならず、これらの部品が発生する振動により、周囲の部品を共振させて騒音を発生させることもある。さらに、画像形成装置では記録紙等のシートを搬送するが、シートを搬送する際、シートの摺擦などによっても騒音が発生する。
【０００３】
このような背景のもとに、画像形成装置などの電子機器では装置本体内（外装カバー内）で発生する騒音自体を抑えたり、装置本体内で発生する騒音が装置本体外へ漏れるのを抑えたりすることで、前述した騒音を低下させる対策が従来から行われている。例えば、特許文献１の画像形成装置では、外装カバーを、金属層または樹脂層と音を吸音する吸音部材を有する吸音層の少なくとも２重層構成にし、吸音層には吸音部材よりも熱伝導性の高い熱伝導性部材を有する構成としている。
【先行技術文献】
【特許文献】
【０００４】
【特許文献１】特開２００７−３１６３５１号公報
【発明の概要】
【発明が解決しようとする課題】
【０００５】
しかしながら、前記したような構成の外装カバーを採用すると、冷却性や遮音性に対しては効果があるものの、この外装カバーにかかるコストが高くなり、装置全体のコストを押し上げる一因となってしまう。
また、外装カバーには、通常、装置本体内の冷却のために通風口が設けられている。しかし、このように通風口が設けられていると、その隙間から装置本体内で発生した音が外部に透過してしまい、装置本体の静音性が低下してしまう。
【０００６】
本発明は前記事情に鑑みてなされたもので、その目的とするところは、コスト上昇を抑えつつ、特に通風口からの音洩れを抑制して静音性を高めた、吸音ユニットを提供することにある。また、該吸音ユニットを備えた画像形成装置を提供することにある。
【課題を解決するための手段】
【０００７】
本発明の吸音ユニットは、装置本体の外観を形成する外装カバーと、該外装カバー内に設けられた動作時に騒音を伴う動作部品を備えた電子機器に設けられる吸音ユニットであって、
前記吸音ユニットは前記外装カバーの内面側に設けられ、該外装カバーの内外を連通させる通風口が設けられ、
前記通風口の内側には吸音部が形成され、
前記吸音部は、前記通風口の面方向における第１の方向に延在するとともに、前記外装カバーの外側から内側に向かうに従って漸次薄くなる楔形状の第１の凸板を複数有し、該第１の凸板を、前記第１の方向と略直交する第２の方向に所定の間隔を開けて整列配置していることを特徴とする。
【０００８】
この吸音ユニットによれば、楔形状の第１の凸板を複数配置して吸音部を構成しているので、外装カバー内で発生した音波を隣り合う第１の凸板間で繰り返し反射させることにより、音波のエネルギーを減衰させることができる。したがって、第１の凸板間を通って通風口の隙間から洩れ出る音波のエネルギーを低減することができ、これによって通風口からの音洩れを抑制することができる。
【０００９】
また、前記吸音ユニットにおいて、前記吸音部は、前記第１の凸板に加えて、前記第２の方向に延在するとともに、前記外装カバーの外側から内側に向かうに従って漸次薄くなる楔形状の第２の凸板を複数有し、該第２の凸板を、前記第１の方向に所定の間隔を開けて整列配置していることが好ましい。
このようにすれば、外装カバー内で発生した音波を隣り合う第２の凸板間でも繰り返し反射させ、音波のエネルギーを減衰させることができる。したがって、各凸板間を通って通風口の隙間から洩れ出る音波のエネルギーをより低減することができ、これによって通風口からの音洩れをより良好に抑制することができる。
【００１０】
また、前記吸音ユニットにおいて、前記第１の凸板と前記第２の凸板とが交差する箇所には、前記通風口の内側に開口するとともに、前記外装カバーの外側から内側に向かうに従って漸次開口面積が広くなる凹部が形成されていることが好ましい。
このようにすれば、外装カバー内で発生した音波を、凹部内でもその内面間で繰り返し反射させ、音波のエネルギーを減衰させることができる。したがって、各凸板間を通って通風口の隙間から洩れ出る音波のエネルギーをより低減することができ、これによって通風口からの音洩れをより良好に抑制することができる。
【００１１】
また、前記吸音ユニットにおいて、前記凹部内には、前記外装カバーの外側から内側に向かうに従って漸次外形が小さくなる四角錐形状または四角錐台形状の凸部が設けられていることが好ましい。
このようにすれば、外装カバー内で発生した音波を、凸部と前記凹部の内面との間で繰り返し反射させ、音波のエネルギーを減衰させることができる。したがって、各凸板間を通って通風口の隙間から洩れ出る音波のエネルギーをより低減することができ、これによって通風口からの音洩れをより良好に抑制することができる。
【００１２】
また、前記吸音ユニットは、前記外装カバーに対して着脱可能に構成されていることが好ましい。
【００１３】
本発明の画像形成装置は、装置本体の外観を形成する外装カバー内に画像形成部及び定着部を備え、
前記外装カバーに前記の吸音ユニットが設けられていることを特徴とする。
【発明の効果】
【００１４】
本発明の吸音ユニットおよび画像形成装置にあっては、第１の凸板間を通って通風口の隙間から洩れ出る音波のエネルギーを低減し、これによって通風口からの音洩れを抑制するようにしたので、静音性が高められた優れたものとなる。
また、通風口の内側に吸音部を形成しただけであるので、コストの上昇を抑えることができる。
【図面の簡単な説明】
【００１５】
【図１】本発明に係る一実施形態の複写機を正面側から見た斜視図である。
【図２】本発明に係る一実施形態の複写機を裏面側から見た斜視図である。
【図３】本発明に係る一実施形態の複写機の概略構成を模式的に示す縦断面図である。
【図４】本発明に係る一実施形態の吸音ユニットの概略構成を示す斜視図である。
【図５】（ａ）、（ｂ）は吸音部によって音波のエネルギーが減衰することを説明するための図である。
【発明を実施するための形態】
【００１６】
以下、本発明の実施形態を図面に基づいて説明する。なお、以下の図面においては、各部材を認識可能な大きさとするため、各部材の縮尺を適宜変更している。また、以下の説明においては、本発明に係る吸音ユニットの一実施形態として、画像形成装置である複写機に用いた一実施形態について説明する。
【００１７】
図１は、本発明に係る一実施形態の複写機１を正面側から見た斜視図であり、図２は、図１に示した複写機１を裏面側から見た斜視図である。また、図３は、図１、図２に示した複写機１の概略構成を模式的に示す縦断面図である。
これらの図に示すように複写機１は、外装カバー２と、図３に示すように外装カバー２内に設けられたスキャナー３、給紙部４、搬送部５、画像形成部６と、定着部７とを備えている。
【００１８】
複写機１の筐体は構造体となる金属フレームや、複写機１の外観を形作る樹脂製の外装パネルから構成されている。外装パネルは外装カバー２を形成している。この外装カバー２は、内部に搬送部５、画像形成部６及び定着部７を収容している。また、この外装カバー２は、これが備える外装パネルのうち、正面パネル２ａや右側の側面パネル２ｂが開閉可能とされている。さらに、この外装カバー２には、図２に示すようにその側面及び裏面に、冷却用ルーバー（通風口）８ａ、８ｂが設けられている。
【００１９】
図３に示すようにスキャナー３は、外装カバー２の上部に配置されており、原稿に形成された画像を電子データとして読み取るものである。このスキャナー３は、例えば、原稿に向けて照射光を射出する光源、原稿にて反射された反射光を導光する光学素子、光学素子で導光された反射光を光電変換するＣＣＤセンサ等を備えている。
【００２０】
給紙部４は、記録用紙Ｐ（記録媒体）を収容するカセット４ａと、カセット４ａから最上部の記録用紙Ｐを引き上げるピックアップローラー４ｂを備えている。この給紙部４は、記録用紙Ｐを搬送部５に対して供給する。
搬送部５は、外装カバー２の内部において、記録用紙Ｐを搬送するものであり、複数の搬送ローラーを備えている。また、搬送部５は外側に移動可能なように筐体に支持される搬送ユニット５ａを備えている。搬送ユニット５ａを外側に移動して、搬送部５で紙詰まりした記録用紙Ｐを取り除くことが可能である。
【００２１】
画像形成部６は、レーザスキャンニングユニット（レーザスキャナ）６ａ、現像ユニット６ｂ、感光体ユニット６ｃ及び転写ユニット６ｄを備えて構成されている。レーザスキャンニングユニット６ａは、周知のレーザスキャンニングユニットと同様に、レーザ光を発生する光ビーム発生器と、その光ビーム発生器から照射されてくる光ビームを走査するポリゴンミラーと、そのポリゴンミラーにより走査された光ビームを後述する感光体ドラム６ｃ１上に結像させるｆθレンズ等（共に不図示）を含んで構成されている。
【００２２】
現像ユニット６ｂは、感光体ドラム６ｃ１に対してトナーを供給することにより、感光体ドラム６ｃ１の周面に形成された静電潜像を現像するもので、現像ローラー６ｂ１を有している。現像ローラー６ｂ１は、感光体ドラム６ｃ１の周面に対し、その半径方向に対向して配置されている。
【００２３】
感光体ユニット６ｃは、その感光体ドラム６ｃ１周面にレーザスキャンニングユニット６ａを用いて静電潜像を生成するとともに、不図示のトナーコンテナから現像ユニット６ｂに供給されたトナーによりトナー像を形成する感光体ドラム６ｃ１を有している。
感光体ドラム６ｃ１の周りには、その周面を帯電状態とさせる帯電器６ｃ２及び転写後その周面に残存したトナーを除去するクリーナー６ｃ３が対向配置されている。
【００２４】
転写ユニット６ｄは、感光体ドラム６ｃ１の周面に対して、その半径方向において対向して配置される転写ローラー６ｄ１を有している。転写ローラー６ｄ１は、感光体ドラム６ｃ１を押圧するように設けられている。したがって、転写ローラー６ｄ１は、感光体ドラム６ｃ１が回転駆動すると、それに伴って回転する。そして、転写ユニット６ｄは、搬送部５を介して記録用紙Ｐが搬送されてきたときには、この記録用紙Ｐを感光体ドラム６ｃ１との間に介在させた状態で転写ローラー６ｄ１を回転させ、記録用紙Ｐを定着部７側に搬送するようになっている。
【００２５】
定着部７は、搬送部５の、転写ユニット６ｄが設けられている位置より下流側に設けられたもので、搬送部５で搬送されてきた記録用紙Ｐを挟持できるように配置された一対のローラー（図示せず）で構成されている。そして、定着部７は、その一対のローラーによって記録用紙Ｐを加圧・加熱することにより、転写ユニット６ｄで転写された記録用紙Ｐ上のトナー像を記録用紙Ｐに定着するようになっている。
【００２６】
このような定着部７では、そのローラーから熱が放出される。したがって、このような熱が外装カバー２内にこもるのを防止するため、外装カバー２には図２に示したように冷却用ルーバー８ａ、８ｂが設けられている。
これら冷却ルーバー８ａ、８ｂは、外装カバー２の内外を連通させることにより、外装カバー２内に熱がこもるのを防止するためのものである。例えば、複写機１の裏面に形成されたルーバーのうちの一方の冷却ルーバー８ａは排気用とされ、他方の冷却ルーバー８ｂ及び側面に形成された冷却用ルーバー８ｂは吸気用とされている。
【００２７】
排気用の冷却ルーバー８ａは、本実施形態では外装カバー２の開口部（図示せず）の外面側に設けられた蓋部材９と、図４に示すように蓋部材９の内面側（裏面側）に配置されて前記外装カバー２の開口部に取り付けられた吸音ユニット１０と、によって形成されている。これら蓋部材９や吸音ユニット１０は、ビス止めや嵌め込みなどによって外装カバー２に取り付けられている。
【００２８】
また、図２に示した吸気用の冷却ルーバー８ｂは、本実施形態では外装カバー２に一体に形成された蓋部１１と、蓋部１１の内面側に配置された、図４に示した吸音ユニット１０とによって形成されている。吸音ユニット１０は、蓋部１１の内面にビス止めなどによって取り付けられている。
図２に示すように冷却ルーバー８ａ、８ｂの蓋部材９や蓋部１１には、外装カバー２の外面において、左右方向に沿うスリット１２が上下方向に整列して形成されている。
【００２９】
図４に示すように吸音ユニット１０は、冷却ルーバー８ａ、８ｂの内面側（裏面側）を構成する略正方形の板状のもので、蓋部材９や蓋部１１の内面（裏面）に配置されたものである。この吸音ユニット１０は、特に限定されないものの、外装カバー２に広く用いられる、音の反射率が１でない樹脂によって形成されている。特に、ウレタンなどの、吸音率が大きい材料によって形成されているのが好ましい。この吸音ユニット１０には、その中央部に吸音部１３が形成されている。
【００３０】
吸音部１３は、矩形状のもので、冷却用ルーバー８ａ、８ｂの面方向における第１の方向となる横方向、すなわち左右方向（水平方向）に延在する第１の凸板１４と、第２の方向となる縦方向、すなわち上下方向（鉛直方向）に延在する第２の凸板１５と、を有している。第１の凸板１４は、第１の方向に延在してこの第１の方向を長さ方向とする板状のもので、外装カバー２の外側から内側に向かうに従って漸次薄くなる楔形状に形成されている。このような形状の第１の凸板１４は、第１の方向と直交する第２の方向に、所定の間隔を開けて複数が整列配置されている。
【００３１】
また、第２の凸板１５は、第２の方向に延在する板状のもので、外装カバー２の外側から内側に向かうに従って漸次薄くなる楔形状に形成されている。このような形状の第２の凸板１５は、第２の方向と直交する第１の方向に、所定の間隔を開けて複数が整列配置されている。したがって、第１の凸板１４と第２の凸板１５とは、吸音ユニット１０において縦横に、すなわち格子状に形成配置されている。なお、吸音部１３の外周部には、その上下方向（第２の方向）の両側に、前記第１の凸板１４より長さの長い楔形状の凸板１４ａ（第１の凸板１４ａ）が形成配置されている。また、その左右方向（第１の方向）の両側には、前記第２の凸板１５より長さの長い楔形状の凸板１５ａ（第２の凸板１５ａ）が形成配置されている。
【００３２】
これら第１の凸板１４、１４ａ、第２の凸板１５、１５ａは、いずれも外装カバー２の外側から内側に向かう方向の長さ（幅）が、２ｃｍ〜７ｃｍ程度に形成されている。また、内側の頂部の角度、すなわち楔形状の頂角が、４０度以下になっている。
また、第２の凸板１５は、その第２の方向の長さが第１の凸板１４の第１の方向の長さより充分に短く形成されている。これにより、隣り合う第１の凸板１４（１４ａ）と第２の凸板１５（１５ａ）とに囲まれた部位は、横に長細い矩形状の開口１６となっている。これら開口１６は、図２に示した蓋部材９や蓋部１１のスリット１２に連通している。これにより、冷却ルーバー８ａ、８ｂは、外装カバー２の内外を連通させるようになっている。すなわち、冷却ルーバーとして、外装カバー２内の暖気を排出し、外装カバー２外の冷気を吸入できるようになっている。
【００３３】
また、第１の凸板１４と第２の凸板１５とが交差する箇所には、凹部１７が形成されている。凹部１７は、第１の方向（左右方向）に隣り合う第１の凸板１４、１４間、及び第２の方向（上下方向）に隣り合う第２の凸板１５、１５間に形成配置された、開口形状が略正方形のものである。ここで、第１の凸板１４、第２の凸板１５は、その厚さが外装カバー２の外側から内側に向かうに従って漸次薄くなるだけでなく、その幅（長さ）も、外装カバー２の外側から内側に向かうに従って漸次狭く（短く）なるように形成されている。したがって、第１の凸板１４、第２の凸板１５は、それぞれの側端面が傾斜面となっている。そして、これら傾斜面に四方が囲まれていることにより、凹部１７は外装カバー２の外側から内側に向かうに従って漸次開口面積が広くなっている。このような凹部１７は、吸音ユニット１０（冷却用ルーバー８ａ、８ｂ）の内側にて開口し、外側（蓋部材９側又は蓋部１１側）は閉じられている。
【００３４】
これら凹部１７内には、それぞれ凸部１８が形成されている。凸部１８は、四角錐台形状または四角錐形状に形成されたもので、外装カバー２の外側から内側に向かうに従って漸次外形が小さくなるように形成されている。また、凸部１８は、四つの側面が凹部１７の四つの内面（第１の凸板１４、第２の凸板１５の側端面）にそれぞれ対向するように形成されている。
【００３５】
次に、このような構成からなる吸音部１３の吸音作用について説明する。
外装カバー２内では、前記の画像形成部６や搬送部５などの動作に伴い、前述したように各種の部品が騒音を発生する。このような騒音は、特に冷却用ルーバー８ａ、８ｂの開口を通って外部に洩れ易くなっている。そこで、本実施形態では、各冷却用ルーバー８ａ、８ｂの内側に吸音ユニット１０を設け、この吸音ユニット１０の吸音部１３の働きにより、外装カバー２内で発生した騒音（音波）が外に漏れるのを抑制している。
【００３６】
すなわち、外装カバー２内で発生した音波（騒音）は、冷却用ルーバー８ａ、８ｂの開口を通って外部に洩れようとする際、まず、吸音ユニット１０の吸音部１３における開口１６を通過しようとする。その際、開口１６の手前側（外装カバー２の内側）には、第１の凸板１４、１４ａや第２の凸板１５、１５ａが形成されているので、外装カバー２内で発生した音波は、図５（ａ）中に実線の矢印に示すように、隣り合い、相対向する第１の凸板１４、１４間、あるいは第２の凸板１５、１５間で繰り返し反射することにより、音波のエネルギーが減衰する。また、隣り合う第１の凸板１４と第２の凸板１５との間で反射することもあり、これによっても音波のエネルギーが減衰する。
【００３７】
したがって、吸音部１３は、これら第１の凸板１４、１４間及び第２の凸板１５、１５間を通って開口１６を通過する音波のエネルギーを、低減することができる。
ここで、図５（ａ）中に破線の矢印に示すように開口１６に対して直進してきた音波は、第１の凸板１４や第２の凸板１５に衝突することなく、第１の凸板１４、１４間及び第２の凸板１５、１５間をそのまま通り抜けて蓋部材９側あるいは蓋部１１側に洩れ出ていく。
【００３８】
しかし、外装カバー２内で発生した音波は外装カバー２の内面で反射することなどにより、様々な方向から向かってくる。したがって、一部の音波は図５（ａ）中に破線の矢印に示すように開口１６を直接通り抜けてしまっても、残りの音波は少なくとも一回以上第１の凸板１４や第２の凸板１５に衝突した後開口１６を通り抜けるため、エネルギーが減衰する。
【００３９】
また、外装カバー２内で発生した音波（騒音）の一部は、図５（ｂ）中に矢印で示すように、第１の凸板１４と第２の凸板１５とが交差する箇所、すなわち凹部１７内に向かう。この凹部１７内に向かった音波は、凹部１７内に四角錐台状（または四角錐状）の凸部１８が形成されており、凸部１８の四つの側面が凹部１７の四つの内面（第１の凸板１４、第２の凸板１５の側端面）にそれぞれ対向して形成されているので、これら側面と内面との間で繰り返し反射することにより、そのエネルギーが減衰する。また、凹部１７は外装カバー２の外側に貫通することなく閉じられているので、側面と内面との間で繰り返し反射した音波は、充分にエネルギーが減衰した後、再度外装カバー２の内部に戻される。
【００４０】
したがって、吸音部１３は、これら凹部１７と凸部１８との間にて音波を繰り返し反射させることによっても、外装カバー２内で発生した音波のエネルギーを低減することができる。
よって、本実施形態の複写機１にあっては、開口１６を通って蓋部材９や蓋部１１のスリット１２から洩れ出る音波のエネルギーを低減し、冷却用ルーバー８ａ、８ｂからの音洩れを抑制するようにしたので、静音性を充分に高めることができる。すなわち、冷却用ルーバー８ａ、８ｂに対して、冷却性は従来通りに機能させつつ、吸音ユニット１０によって音洩れ抑制機能を付与したので、複写機１自体に高い静音性を持たせることができる。
【００４１】
また、冷却用ルーバー８ａ、８ｂの内側に、吸音部１３を有する吸音ユニット１０を配置するようにしただけであるので、例えば吸音ユニット１０を比較的安価な樹脂成形品などによって形成することにより、複写機１全体のコストの大幅な上昇を抑えることができる。また、吸音ユニット１０は外装カバー２に着脱可能であるため、多種類の装置において外装カバーに装着して共通で利用することが可能である。
【００４２】
以上、図面を参照しながら本発明の好適な実施形態について説明したが、本発明は前記実施形態に限定されるものではない。前述した実施形態において示した各構成部材の諸形状や組み合わせ等は一例であって、本発明の主旨から逸脱しない範囲において設計要求等に基づき種々変更可能である。
【００４３】
例えば、前記実施形態では、蓋部材９や蓋部１１と吸音ユニット１０とを別に形成し、蓋部材９や蓋部１１の裏面側に吸音ユニット１０を取り付けたが、例えば蓋部材９と吸音ユニット１０とを一体成形で形成し、外装カバー２の開口部に取り付けるようにしてもよい。また、吸音ユニット１０の吸音部１３のみをユニット化し、このユニット化した吸音部１３を蓋部材９や蓋部１１の裏面側に取り付けるようにしてもよく、あるいは、蓋部材９や蓋部１１を、吸音部１３を一体化した形態に形成してもよい。特に、吸音部１３のみをユニット化した場合、この吸音部１３をウレタンなどの吸音率が大きい材料によって形成することにより、冷却ルーバー８ａ、８ｂの音洩れ抑制機能をより高めることができる。
【００４４】
また、前記実施形態では第１の凸板１４と第２の凸板１５とが交差する箇所に凹部１７を形成し、該凹部１７内に凸部１８を設けたが、凹部１７内に凸部１８を設けない形態としてもよい。その場合にも、凹部１７の内面、すなわち該凹部１７を形成する第１の凸板１４、第２の凸板１５の側端面間で音波を繰り返し反射させることにより、音波のエネルギーを減衰させることができる。
また、第１の凸板１４や第２の凸板１５を、これらより長さが長い凸板１４ａや凸板１５ａと同様に形成し、これらを縦横に（格子状に）形成することで、凹部１７を設けないようにしてもよい。さらには、第２の凸板１５（凸板１５ａ）を形成することなく、第１の凸板１４（凸板１４ａ）のみを形成することで、吸音部を構成してもよい。
【００４５】
また、前記実施形態では、画像形成装置として複写機を例示したが、本発明は、例えば、プリンタ等の画像形成装置や画像形成装置以外の電子機器にも適用可能である。
【符号の説明】
【００４６】
１…複写機（画像形成装置）、２…外装カバー、６…画像形成部、７…定着部、８ａ、８ｂ…冷却用ルーバー（通風口）、９…蓋部材、１０…吸着ユニット、１１…蓋部、１２…スリット、１３…吸音部、１４…第１の凸板、１４ａ…凸板（第１の凸板）、１５…第２の凸板、１５ａ…凸板（第２の凸板）、１６…開口、１７…凹部、１８…凸部
【図１】
2014071262.tif 000003
【図２】
2014071262.tif 000004
【図３】
2014071262.tif 000005
【図４】
2014071262.tif 000006
【図５】
2014071262.tif 000007